(57)【特許請求の範囲】
【請求項１】
円筒状の本体（１）と、前記本体に回転可能に内設した円板状の弁体（３
）とを有し、前記本体は２つの同形同大の円筒状の半体（１１、１２）を軸方向に対称に突き合わせてその外周中央部にバンド（２）を掛けてなり、前記弁体はその直径方向１端側から突出する短軸部（１３）と他端側から突出して前記バンドを貫通し先端にハンドル等が取り付けられる長軸部（１４）を有し、前記本体は直径方向１端側に前記短軸部を他端側に前記長軸部をそれぞれ軸受けするバタフライ弁であって、前記本体の直径方向１端側及び他端側中央部に前記半体同士が形成する開口（１５、１６）に、前記短軸部を挿入する帽子状の軸受ケース（５）及び前記長軸部を貫通させる筒状の軸受スリーブ（６）をそれぞれ脱着自在にはめ込んで固定し、前記軸受ケース及び前記軸受スリーブに前記短軸部及び前記長軸部をそれぞれ軸受けするスライドベアリング（７、８）を内設し、前記開口は前記本体の軸心と前記弁体の軸心を含む面に２辺が平行な長方形断面を有し、前記軸受ケース及び前記軸受スリーブの少なくとも前記開口と係合する部分は、前記開口にきっちり嵌合する直方体であり、前記軸受ケース及び前記軸受スリーブと前記開口の前記本体の軸心と平行な対接面に、前記本体の軸心と平行な共心のピン溝（１８、１９、２１、２２）を形成し、前記ピン溝に挿入するピン（１７、２０）を介して前記軸受ケース及び前記軸受スリーブを前記本体に脱着自在に固定したことを特徴とするコンテナ用バタフライ弁。
【発明の詳細な説明】
【０００１】
【発明の属する技術分野】
本発明は、粉体の食品原料又は薬品原料を収容するホッパー型コンテナ等の排出口に設けるバタフライ弁に関する。
【０００２】
【従来の技術】
コンテナ等の排出口に設けるバタフライ弁は、コンテナ等の排出口に取り付ける円筒状の本体と、その本体に内設する円板状の弁体とからなる。本体は、２つの同形同大の円筒状半体を軸方向に対称に突合わせ、その突き合わせた外周中央部にバンドを掛けて一体化する。弁体の直径方向１端側から突出する短軸部と他端側から突出する長軸部を本体の直径方向１端側と他端側の中央部に軸受けする。長軸部はバンドを貫通し、先端には操作用のハンドル等を連結する。
【０００３】
従来のバタフライ弁は弁体の長軸部のみを軸方向に離間する２つのテフロン樹脂等のスライドベアリングで軸受けしていたので、バタフライ弁の許容圧力を高めて耐久性を向上するためには、バタフライ弁の長軸部の２つのベアリング間隔を長くしなければならなかった。このため、耐久性に優れたバタフライ弁をコンパクト化して、軽量化することはできなかった。
【０００４】
【発明が解決しようとする課題】
コンテナに収容する粉体原料は多種多様であり、原料が変わるたびに、バタフライ弁をコンテナから取り外して分解洗浄する。通常、このバタフライ弁の分解洗浄を１日に１回以上行うため、軽量で分解及び組立の容易なバタフライ弁が要望されていた。
【０００５】
本発明はこの要望に応じてなされたものであり、その課題は、ホッパ型コンテナ等に適した許容圧力の高いバタフライ弁であって、軽量で分解及び組立の容易なものを提供することにある。
【０００６】
【課題を解決するための手段】
前記課題を達成するため、本発明が採用する手段は、バタフライ弁本体の直径方向１端側及び他端側中央部に開口を設け、その１端側開口に前記短軸部を軸受けする軸受ケースを、他端側開口に長軸部を軸受けする軸受スリーブを脱着自在にはめ込んで固定し、軸受ケース及び軸受スリーブの内周面にそれぞれテフロン樹脂等のスライドベアリングを設けたことにある。
【０００７】
本体の両開口は本体と弁体の軸心を含む面に２辺が平行な長方形断面を有し、軸受ケースと軸受スリーブの開口にはまる部分はきっちり嵌合する直方体とすることが好ましい。例えば、軸受ケースは短軸部を挿入する帽子状の直方体とし、軸受スリーブは内部を長軸部が貫通する筒体とし、その筒体の下部を開口にきっちりはまる直方体とし、それより上を円柱体とする。
【０００８】
又、本体の開口は本体と弁体の軸心に平行な２辺を有する長方形断面を有し、軸受ケース及び軸受スリーブと開口の相互に面接する内外側面に固定用のピンを通す共心のピン溝を形成することが望ましい。
本発明のバタフライ弁はテフロン樹脂等のスライドベアリングを弁体両側の短軸部と長軸部の双方に設けて、弁体を支持する２つのスライドベアリングの間隔を著しく大きくしたから、許容圧力は従来の弁体の片側の長軸部のみに設けたものに比べると大幅に増大し、耐久性が向上する。又、軸受スリーブはスライドベアリングを１つ収容するだけであるから、従来の２つのスライドベアリングを収容していたものに比べると全体がコンパクトで軽量になる。
【０００９】
又、本体を形成する２つの半体は同形同大で組合せに方向性がないから、従来の同形同大ではあるが、組合せに方向性があったものに比べると組立は一段と容易になる。
【００１０】
【発明の実施の形態】
本発明のバタフライ弁を図面に示す実施例に基づいて説明する。
図１及び図２は実施例の正面図及び平面図である。
バタフライ弁は、本体１と弁体３からなり、弁体３は本体１に半回転可能に内設される。本体１は直径方向の１端側、図においては下端側に開口５を、他端側、図においては上端側に開口１６を有する。開口１５には軸受ケース５を、開口１６には軸受スリーブ６をそれぞれはめ込みピン１７、２０を介して本体１に固定する。
【００１１】
円板状の弁体３の直径方向の１端側から短軸部１３が突出して軸受ケース５内に入り、他端側からは長軸部１４が突出して軸受スリーブ６を貫通する。軸受スリーブ６から突出した長軸部１４の先端にハンドルブロック１０を脱着自在に固定し、そのハンドルブロックにハンドルレバー９を取り付ける。
本体１は同形同大の半円筒状半体１１、１２を軸方向に対称に突き合わせ、その外周中央部に掛けたバンド２で結合したものである。半体１１、１２の突合せ部分である本体１の外周中央部は山形に突出し、その山形の外周突出部に断面Ｖ字形のバンド２をかぶせる。半体１１、１２の外周面にはコンテナの排出口に適合するフェルールが形成される。
【００１２】
バンド２は中央に軸受スリーブ６を通すリング２３を、１端部にボルト２４を、他端部にボルト２４にはめたナット２５を掛け止めするナット掛け２６を有する。バンド２のナット２５を締め込んで半体１１、１２を一体化して本体１とする。このようなバンドでバタフライ弁本体の２つの半体を一体化することは公知である。
【００１３】
本体１の内周面中央にシリコンゴム製のライナー４を取り付ける。弁体３の短軸部１３と長軸部１４はライナー４を貫通する。
図３及び図４に示すように、本体１の半体１１、１２同士が形成する開口１５は本体１と弁体３の軸心に２辺が平行な正方形断面を有し、その開口１５にきっちり嵌合する軸受ケース５は直方体に円柱形の盲穴をあけた帽子状である。軸受ケース５と開口１５の本体１の軸心に平行な相互に接する内外側面に共心のピン溝１８、１９を設け、その共心のピン溝１８、１９に通す２本のピン１７を介して本体１に軸受ケース５を脱着自在に固定する。軸受ケース５にはテフロン樹脂のスライドベアリング７を内設し、弁体３からライナー４を貫通して突出する短軸部１３をスライドベアリング７により軸受けする。
【００１４】
軸受スリーブ６は、下端部が直方体、その上が円筒体、最上部がフランジの筒体形状であり、内部を長軸部１４が貫通する。
図５及び図６に示すように、本体１の半体１１、１２同士が形成する開口１６は本体１と弁体３の軸心に２辺が平行な正方形断面を有し、その開口１６に軸受スリーブ６の直方体の下端部はきっちり嵌合する。軸受スリーブ６と開口１６の本体１の軸心に平行な相互に面接する内外両側面に共通のピン２０を通す共心のピン溝２１、２２を設け、２本のピン２０を介して軸受スリーブ６を本体１に脱着自在に固定する。軸受スリーブ６の下端直方体にテフロン（登録商標）樹脂のスライドベアリング８を内設し、弁体３からライナー４を貫通して突出する長軸部１４を軸受けする。
【００１５】
本体１はステンレス鋼製であるが、その外周面中央部の外径はスライドベアリングを直径方向両側に設けたから、比較的小さく、軽量である。例えば、本発明バタフライ弁の重量は呼び径１５０Ａでは３．５Ｋｇｆ、２００Ａでは約７Ｋｇｆとなり、従来のものに比べて半分以下となる。又、弁体３の直径方向の両側にテフロンベアリング７、８を設けたから、許容圧力は大幅に増大し、耐久性が向上する。例えば、呼び径１５０Ａの本発明バタフライ弁の許容圧力は０．２ＭＰａであり、従来のものの３００ｍｍＡｑに比べると格段に大きい。
【００１６】
２つの半体１１、１２は同形同大であると共に、組合せに方向性がないから、従来の組合せに方向性のあったものに比べると組立も容易である。軸受ケース５と軸受スリーブ６はピン１７、２０により簡単に位置決めして固定することができる。さらに、実施例のバタフライ弁は全体として構造が簡単であるから、分解も組立も洗浄も至極容易である。
【００１７】
【発明の効果】
上記のとおり、本発明のバタフライ弁は、従来の弁体の直径方向片側の長軸部のみをテフロン樹脂のスライドベアリングで軸受けする方式とは異なり、弁体の直径方向両側においてテフロン樹脂のスライドベアリングで軸受けする方式であるから、次のような優れた効果を奏する。
１．本体外周面中央部の外径が小さくなり軽量化する。
２．許容圧力が大幅に増大し、耐久性が向上する。
３．本体を組み立てる２つの半体は組合せに方向性がなく、組立が容易である。４．全体として構造が簡単であり、分解、組立、洗浄が容易である。
【図面の簡単な説明】
【図１】本発明実施例のバタフライ弁の正面図、
【図２】図１のバタフライ弁の平面図、
【図３】図１の軸受ケースの拡大側断面図、
【図４】図３のＩＶ−ＩＶ線方向矢視図、
【図５】図１の軸受スリーブの要部の拡大側断面図、
【図６】図５のＶＩ−ＶＩ線矢視図、
【符号の説明】
１：本体
２：バンド
３：弁体
４：ライナー
５：軸受ケース
６：軸受スリーブ
７、８：スライドベアリング
９：ハンドルレバー
１０：ハンドルブロック
１１、１２：半体
１３：短軸部
１４：長軸部
１５：開口（１端側）
１６：開口（他端側）
１７：ピン
１８、１９：ピン溝
２０：ピン
２１、２２：ピン溝
２３：リング
２４：ボルト
２５：ナット
２６：ナット掛け
【図１】
0004186204.tif 000002
【図２】
0004186204.tif 000003
【図３】
0004186204.tif 000004
【図４】
0004186204.tif 000005
【図５】
0004186204.tif 000006
【図６】
0004186204.tif 000007